(57)【特許請求の範囲】
【請求項１】
硬貨を投入する硬貨投入部と、投入された硬貨を計数処理する硬貨処理部と、前記硬貨処理部で処理された硬貨を受け入れて一時保留する硬貨一時保留部と、該硬貨一時保留部に一時保留された硬貨を放出する放出口とを有する硬貨計数機ユニットを備えるとともに、
金庫用枠体部と、該金庫用枠体部の内部に取り出し可能に設けられる硬貨収納体とを有し、前記金庫用枠体部の上面に前記硬貨計数機ユニットの放出口に臨む位置に硬貨を受け入れる受入口が形成され、該受入口の下方に前記硬貨収納体が配置される金庫ユニットを備え、
前記硬貨計数機ユニットと前記金庫ユニットとは別体で、前記硬貨計数機ユニットが前記金庫ユニットの上に第１取付手段により取り付けられ、
前記金庫ユニットが金庫ユニット側に形成される第２取付手段と車体側に設けられる第３取付手段とにより車体に可動又は固定状態で取り付けられる車載用金庫付硬貨計数機であって、
前記金庫ユニットの受入口には、前記第１取付手段が壊されて前記硬貨計数機ユニットが前記金庫ユニットから取り外されたときに該金庫ユニット内部の硬貨の取り出しを阻止する硬貨取り出し阻止手段が設けられてなることを特徴とする車載用金庫付硬貨計数機。
【請求項２】
硬貨を投入する硬貨投入部と、投入された硬貨を計数処理する硬貨処理部と、前記硬貨処理部で処理された硬貨を受け入れて一時保留する硬貨一時保留部と、該硬貨一時保留部に一時保留された硬貨を放出する放出口とを有する硬貨計数機ユニットを備えるとともに、
金庫用枠体部と、該金庫用枠体部の内部に取り出し可能に設けられる硬貨収納体とを有し、前記金庫用枠体部の上面に前記硬貨計数機ユニットの放出口に臨む位置に硬貨を受け入れる受入口が形成され、該受入口の下方に前記硬貨収納体が配置される金庫ユニットを備え、
前記硬貨計数機ユニットと前記金庫ユニットとは別体で、前記硬貨計数機ユニットが前記金庫ユニットの上に第１取付手段により取り付けられ、
前記金庫ユニットが金庫ユニット側に形成される第２取付手段と車体側に設けられる第３取付手段とにより車体に可動又は固定状態で取り付けられる車載用金庫付硬貨計数機であって、
前記金庫ユニットの金庫用枠体部上面には、前記硬貨計数機ユニットが挿嵌状態で固定され取り外し困難となって前記金庫ユニット内部の硬貨の取り出しを阻止するよう前記硬貨計数機ユニットの下部を挿嵌させるくぼみ部が設けられてなることを特徴とする車載用金庫付硬貨計数機。
【請求項３】
金庫付硬貨計数機を搭載した車両であって、
前記金庫付硬貨計数機は、硬貨を投入する硬貨投入部と、投入された硬貨を計数処理する硬貨処理部と、前記硬貨処理部で処理された硬貨を受け入れて一時保留する硬貨一時保留部と、該硬貨一時保留部に一時保留された硬貨を放出する放出口とを有する硬貨計数機ユニットを備えるとともに、
金庫用枠体部と、該金庫用枠体部の内部に取り出し可能に設けられる硬貨収納体とを有し、前記金庫用枠体部の上面に前記硬貨計数機ユニットの放出口に臨む位置に硬貨を受け入れる受入口が形成され、該受入口の下方に前記硬貨収納体が配置される金庫ユニットを備え、
前記硬貨計数機ユニットと前記金庫ユニットとは別体で、前記硬貨計数機ユニットが前記金庫ユニットの上に第１取付手段により取り付けられ、
前記金庫ユニットが金庫ユニット側に形成される第２取付手段と車体側に設けられる第３取付手段とにより車体に可動又は固定状態で取り付けられ、
前記金庫ユニットの受入口には、前記第１取付手段が壊されて前記硬貨計数機ユニットが前記金庫ユニットから取り外されたときに該金庫ユニット内部の硬貨の取り出しを阻止する硬貨取り出し阻止手段が設けられてなることを特徴とする金庫付硬貨計数機搭載車両。
【請求項４】
金庫付硬貨計数機を搭載した車両であって、
前記金庫付硬貨計数機は、硬貨を投入する硬貨投入部と、投入された硬貨を計数処理する硬貨処理部と、前記硬貨処理部で処理された硬貨を受け入れて一時保留する硬貨一時保留部と、該硬貨一時保留部に一時保留された硬貨を放出する放出口とを有する硬貨計数機ユニットを備えるとともに、
金庫用枠体部と、該金庫用枠体部の内部に取り出し可能に設けられる硬貨収納体とを有し、前記金庫用枠体部の上面に前記硬貨計数機ユニットの放出口に臨む位置に硬貨を受け入れる受入口が形成され、該受入口の下方に前記硬貨収納体が配置される金庫ユニットを備え、
前記硬貨計数機ユニットと前記金庫ユニットとは別体で、前記硬貨計数機ユニットが前記金庫ユニットの上に第１取付手段により取り付けられ、
前記金庫ユニットが金庫ユニット側に形成される第２取付手段と車体側に設けられる第３取付手段とにより車体に可動又は固定状態で取り付けられ、
前記金庫ユニットの金庫用枠体部上面には、前記硬貨計数機ユニットが挿嵌状態で固定され取り外し困難となって前記金庫ユニット内部の硬貨の取り出しを阻止するよう前記硬貨計数機ユニットの下部を挿嵌させるくぼみ部が設けられてなることを特徴とする金庫付硬貨計数機搭載車両。
【請求項５】
前記金庫ユニットの金庫用枠体部に紙幣投入口が設けられるとともに、前記金庫用枠体部の内部には前記紙幣投入口から投入される紙幣を収納する紙幣収納体が取り出し可能に設けられてなる請求項１または２記載の車載用金庫付硬貨計数機。
【請求項６】
前記金庫ユニットの金庫用枠体部に紙幣投入口が設けられるとともに、前記金庫枠体部の内部には前記紙幣投入口から投入される紙幣を収納する紙幣収納体が取り出し可能に設けられてなる請求項３または４記載の金庫付硬貨計数機搭載車両。
【請求項７】
前記硬貨取り出し阻止手段が、前記硬貨計数機ユニット取り外し時に前記受入口を閉じるシャッタ機構である請求項１記載の車載用金庫付硬貨計数機。
【請求項８】
前記硬貨取り出し阻止手段が、前記硬貨計数機ユニット取り外し時に前記受入口を閉じるシャッタ機構である請求項３記載の金庫付硬貨計数機搭載車両。
【請求項９】
前記硬貨取り出し阻止手段が、前記受入口を内部まで手を挿入できないよう狭めるシュート構造としたものである請求項１記載の車載用金庫付硬貨計数機。
【請求項１０】
前記硬貨取り出し阻止手段が、前記受入口を内部まで手を挿入できないよう狭めるシュート構造としたものである請求項３記載の金庫付硬貨計数機搭載車両。
【請求項１１】
前記硬貨収納体が、ガイドレールに沿って引き出し可能な引き出し枠体とされてなる請求項１または２記載の車載用金庫付硬貨計数機。
【請求項１２】
前記硬貨収納体が、ガイドレールに沿って引き出し可能な引き出し枠体とされてなる請求項３または４記載の金庫付硬貨計数機搭載車両。
【請求項１３】
前記硬貨収納体が、開閉式の放出口を有するとともに、該放出口に臨む位置に袋掛け金具装着部を備えてなる請求項１１記載の車載用金庫付硬貨計数機。
【請求項１４】
前記硬貨収納体が、開閉式の放出口を有するとともに、該放出口に臨む位置に袋掛け金具装着部を備えてなる請求項１２記載の金庫付硬貨計数機搭載車両。
【請求項１５】
前記第２取付手段が、前記金庫用枠体部を引き出し可能とするガイドにて構成され、前記第３取付手段が、前記ガイドを引き出し可能にガイドするガイドレールにて構成されてなる請求項３または４記載の金庫付硬貨計数機搭載車両。
【請求項１６】
前記硬貨収納体が袋であり、前記金庫ユニットが前記受入口に袋掛け金具装着部を備えてなる請求項１または２記載の車載用金庫付硬貨計数機。
【請求項１７】
前記硬貨収納体が袋であり、前記金庫ユニットが前記受入口に袋掛け金具装着部を備えてなる請求項３または４記載の金庫付硬貨計数機搭載車両。
【発明の詳細な説明】
【０００１】
【発明の属する技術分野】
本発明は、例えば自動販売機の貨幣処理ユニットに記憶された売上金額データ（貨幣データ）と回収された貨幣との精算を行なうのに好適な車載用金庫付硬貨計数機及び金庫付硬貨計数機搭載車両に関する。
【０００２】
【従来の技術】
清涼飲料水やたばこなどの自動販売機を管理する営業所の営業担当者（ルートセールスマン）は、異なる場所に点在するそれら自動販売機から売上金の貨幣（硬貨および紙幣を含む）を回収するにあたって、車両に補充用の商品を載せて各自動販売機の設置場所へ行き、自動販売機に商品を補充するとともに、自動販売機の貨幣処理ユニットから売上金額データ（貨幣データ）を収集し、また、貨幣を回収し、一定額の釣り銭準備金を補充した残りを持ち帰るが、その場合に、収集した売上金額データと回収された貨幣の金額とが一致（運用上は両者の誤差が例えば５％以内は一致として扱う）するかどうかの売上確認を営業所に持ち帰った後で行うのでは、金額が一致しない場合に原因の究明が難しいということから、回収先において売上金等の確認まで行なえるようにした車載用貨幣処理機が開発され、この貨幣処理機を搭載した自動車で売上金回収作業を行うことが試みられている。
【０００３】
【発明が解決しようとする課題】
上記従来の車載用貨幣処理機は、自動車の運転席の横に置くように構成され、一時保留硬貨の放出口に大袋（例えば４０００枚硬貨量収納）を取り付けて、その大袋に硬貨を収納するよう構成されたものであったが、この貨幣処理機を搭載した自動車で売上回収等にまわる場合、自動車を人通りの多い場所等で停め、運転者が車から離れて、例えば自動販売機からの現金の回収やハンディ端末等による売上金額データの収集作業を行うときに、不用心で、作業中に大袋ごと盗まれる恐れがある。
【０００４】
ところで、車載用貨幣処理機が普及していない地域では売上金の回収作業中の盗難に対処するため、自動車の荷台に金庫を固定し、１回処理毎（例えば自動販売機１台の売上金回収作業毎）の硬貨を収納する小袋を用意して、上記盗難の恐れのあるような場所では、自動販売機の硬貨放出口にこの小袋を取り付け、１回処理毎の硬貨をこの小袋に収納して、その１回処理分の硬貨が収納された小袋をその都度金庫に投入することが行われている。
【０００５】
ところが、このように貨幣処理機を用いる場合、貨幣処理機は運転席の横に設置し、金庫は荷台に設置して、１回処理毎に貨幣処理機に小袋を装着し、１回処理分の硬貨が収納された小袋を貨幣処理機から取り外し、その小袋を貨幣処理機の設置場所から離れた荷台上の金庫設置場所まで運んで金庫に投入することになり、作業が煩雑となり、その煩雑な作業を作業者に強いることになる。
【０００６】
そのため、車載用の貨幣処理機と金庫を同じ場所に設置して煩雑な作業をなくしたいという要求が生じた。そして、その要求に答えることができ、しかも防盗性を高めることのができる手段として、金庫に貨幣処理機を内蔵させ、その貨幣処理機を内蔵した金庫を車両に固定することが考えられた。
【０００７】
しかしながら、そのように金庫に貨幣処理機を内蔵させた場合は、防盗性は確保できるが、自動販売機等から回収した硬貨を計数収納するため貨幣処理機へ投入する作業がやりにくく、貨幣処理機の操作もやりにくく、また、貨幣処理機内の硬貨通路等で硬貨の詰まりが発生した場合の硬貨の取り除き作業等、保守点検もやりにくくて、貨幣処理機の機能が大きく損なわれる。
【０００８】
したがって、計数収納作業の作業性および操作性に優れ、保守点検が容易で、かつ、防盗性に優れた車載用の貨幣処理機特に硬貨計数機を得ることが課題である。
【０００９】
【課題を解決するための手段】
この出願の発明は、上記課題を解決するための手段として、硬貨計数機と金庫とを別体のユニットとして、硬貨計数機ユニットを金庫ユニットに取り付け、金庫ユニットを車体に取り付けるようにするとともに、硬貨計数機ユニットが取り外されて金庫ユニット内の硬貨が取り出されるの防ぐ適切な手段を設けてなる車載用金庫付硬貨計数機および金庫付硬貨計数機搭載車両を提供するものである。
【００１０】
すなわち、この出願の発明に係る車載用金庫付硬貨計数機および金庫付硬貨計数機搭載車両は、硬貨を投入する硬貨投入部と、投入された硬貨を計数処理する硬貨処理部と、硬貨処理部で処理された硬貨を受け入れて一時保留する硬貨一時保留部と、該硬貨一時保留部に一時保留された硬貨を放出する放出口とを有する硬貨計数機ユニットを備えるとともに、金庫用枠体部と、該金庫用枠体部の内部に取り出し可能に設けられる硬貨収納体とを有し、金庫用枠体部の上面に硬貨計数機ユニットの放出口に臨む位置に硬貨を受け入れる受入口が形成され、該受入口の下方に硬貨収納体が配置される金庫ユニットを備え、硬貨計数機ユニットと金庫ユニットとは別体で、硬貨計数機ユニットが金庫ユニットの上に第１取付手段により取り付けられ、金庫ユニットが金庫ユニット側に形成される第２取付手段と車体側に設けられる第３取付手段とにより車体に可動又は固定状態で取り付けられる車載用金庫付硬貨計数機および該金庫付硬貨計数機を搭載した車両を前提とするものである。
【００１１】
そして、請求項１に係る車載用金庫付硬貨計数機および請求項３に係る金庫付硬貨計数機搭載車両は、金庫ユニットの受入口に、第１取付手段が壊されて硬貨計数機ユニットが金庫ユニットから取り外されたときに該金庫ユニット内部の硬貨の取り出しを阻止する硬貨取り出し阻止手段を設けたものである。この場合、金庫ユニットは自動車等の車体の被いの有る荷台部分等（荷台のほか、助手席等の座席、フロア等、取付場所を問わない）に強固に固定されるため取り外すことは容易でなく、強固な金庫用枠体部で被われているため打ち破ることも容易でない。また、硬貨計数機ユニットがバール等で金庫ユニットから取り外されても、金庫ユニットの受入口に設けられた硬貨取り出し阻止手段によって金庫ユニット内部の硬貨の取り出しが阻止される。そして、このように防盗性が良好でありながら、硬貨計数機ユニットと金庫ユニットとが別体であるため、金庫に貨幣処理機を内蔵させた場合のように硬貨を計数収納するため貨幣処理機へ投入する作業がやりにくいとか、貨幣処理機の操作がやりにくいとか、また、貨幣処理機内の硬貨通路等で硬貨の詰まりが発生した場合の硬貨の取り除き作業等、保守点検がやりにくいといったことがなく、計数収納作業の作業性および操作性に優れ、保守点検が容易なものとできる。
【００１２】
また、請求項２に係る車載用金庫付硬貨計数機および請求項４に係る金庫付硬貨計数機搭載車両は、金庫ユニットの金庫用枠体部上面に、硬貨計数機ユニットが挿嵌状態で固定され取り外し困難となって金庫ユニット内部の硬貨の取り出しを阻止するよう硬貨計数機ユニットの下部を挿嵌させるくぼみ部を設けたものである。この場合、やはり金庫ユニットは自動車等の車体の被いの有る荷台部分等（やはり、荷台のほか、助手席等の座席、フロア等、取付場所を問わない）に強固に固定されるため取り外すことは容易でなく、強固な金庫用枠体部で被われているため打ち破ることも容易でない。そして、硬貨計数機ユニットは下部が金庫ユニットの金庫用枠体部上面のくぼみ部に挿嵌状態で固定されるため、バール等を用いても金庫ユニットから取り外すことは困難で、そのため、硬貨計数機ユニットを取り外して金庫ユニット内部の硬貨を取り出すことは阻止される。そして、このように防盗性が良好でありながら、やはり、硬貨計数機ユニットと金庫ユニットとが別体であるため、金庫に貨幣処理機を内蔵させた場合のように硬貨を計数収納するため貨幣処理機へ投入する作業がやりにくいとか、貨幣処理機の操作がやりにくいとか、また、貨幣処理機内の硬貨通路等で硬貨の詰まりが発生した場合の硬貨の取り除き作業等、保守点検がやりにくいといったことがなく、計数収納作業の作業性および操作性に優れ、保守点検が容易なものとできる。
【００１３】
また、請求項５に係る車載用金庫付硬貨計数機および請求項６に係る金庫付硬貨計数機搭載車両は、請求項１〜４に係る上記構成のものにおいて、金庫ユニットの金庫枠体部に紙幣投入口を設けるとともに、金庫枠体部の内部には紙幣投入口から投入される紙幣を収納する紙幣収納体を取り出し可能に設けたものである。この場合、硬貨だけでなく紙幣も同じ金庫ユニット内へ収納できるため、作業性が向上する。
【００１４】
また、請求項７に係る車載用金庫付硬貨計数機および請求項８に係る金庫付硬貨計数機搭載車両は、請求項１，３に係る上記構成のものにおいて、硬貨取り出し阻止手段を、硬貨計数機取り外し時に受入口を閉じるシャッタ機構としたものである。この場合、防盗性が良好で、作業性および操作性に優れ、保守点検が容易であり、特に、硬貨計数機ユニットが取り外されたときに金庫ユニットの受入口がシャッタ機構によって閉じられて金庫ユニット内の硬貨に触れることもできなくなるので、防盗性が一層高まる。
【００１５】
また、請求項９に係る車載用金庫付硬貨計数機および請求項１０に係る金庫付硬貨計数機搭載車両は、請求項１，２に係る上記構成のものにおいて、硬貨取り出し阻止手段を、受入口を内部まで手を挿入できないよう狭めるシュート構造としたものである。この場合、防盗性が良好で、作業性および操作性に優れ、保守点検が容易であり、特に、受入口にシャッタ機構を設ける場合の複雑な構造に比べて簡単な構造で防盗性を確保できる。
【００１６】
また、請求項１１に係る車載用金庫付硬貨計数機および請求項１２に係る金庫付硬貨計数機搭載車両は、請求項１〜４に係る上記構成のものにおいて、硬貨収納体を、ガイドレールに沿って引き出し可能な引き出し枠体としたものである。この場合、硬貨収納体の取り出しが容易で、作業性が一層良好となる。
【００１７】
また、請求項１３に係る車載用金庫付硬貨計数機および請求項１４に係る金庫付硬貨計数機搭載車両は、請求項１１，１２に係る上記構成のものにおいて、硬貨収納体が、開閉式の放出口を有するとともに、該放出口に臨む位置に袋掛け金具装着部を備えてなるものである。引き出し枠体とした硬貨収納体は、硬貨を収納したまま営業所まで運び、営業所内で硬貨を大袋に詰め直すことになるが、引き出し枠体は上部が開放状態のままであるため、袋に詰め直す際に硬貨がこぼれやすい。請求項１３に係る上記構成によれば、引き出し枠体に袋を装着して容易に袋詰めでき、防盗性および作業性の向上を図れる。
【００１８】
また、請求項１５に係る金庫付硬貨計数機搭載車両は、請求項３，４に係る上記構成のものにおいて、第２取付手段を、金庫用枠体部を引き出し可能とするガイドにて構成し、第３取付手段を、第２取付手段のガイドを引き出し可能にガイドするガイドレールにて構成したものである。この場合、硬貨計数機ユニットおよび金庫ユニットを両方共引き出すことができるので、硬貨の投入および硬貨収納体の取り出しを行いやすくなる。そして、この金庫付硬貨計数機を自動車の荷台に設置し、荷台上部に棚板がある場合のような、収容高さに余裕がない場所への設置を可能とし、かつ、そのような場所での操作性および作業性を確保できる。
【００１９】
また、請求項１６に係る車載用金庫付硬貨計数機および請求項１７に係る金庫付硬貨計数機搭載車両は、請求項１〜４に係る上記構成のものにおいて、硬貨収納体が袋であり、金庫ユニットが受入口に袋掛け金具装着部を備えてなるものである。この場合、硬貨計数機ユニットから放出される硬貨を直接袋へ収納できるので、金箱に収納したものを営業所で袋に詰めかえるような手間が不要で、作業性が向上する。
【００２０】
【発明の実施の形態】
以下、本発明の実施の形態を図面に基づいて説明する。
【００２１】
図１〜５は本発明の実施の形態の第１の例に係り、図１は金庫付硬貨計数機を荷台の背面から操作するよう自動車の荷台に搭載した状態で示す正面図、図２は同金庫付硬貨計数機の右側面図、図３は同金庫付硬貨計数機を搭載した自動車の荷台を背面を開いた状態で示す背面図、図４は同金庫付硬貨計数機を搭載した自動車の荷台後部を右側面を開いた状態で示す側面図、図５は同金庫付硬貨計数機を荷台の側面から操作するよう搭載した自動車を荷台側面を開いた状態で示す側面図、図６は同金庫付硬貨計数機における硬貨取り出し阻止手段をシャッタ開放状態で示す上面図（ａ）および側面図（ｂ）、図７は同金庫付硬貨計数機における硬貨取り出し阻止手段をシャッタ閉状態で示す上面図（ａ）および側面図（ｂ）である。
【００２２】
図において、１は硬貨計数機ユニット、２は金庫ユニットである。また、３は荷台付の自動車、４はその荷台である。硬貨計数機ユニット１と金庫ユニット２とは別体のユニットとして形成されたもので、硬貨計数機ユニット１が金庫ユニット２に取り付けられ金庫付硬貨計数機として金庫ユニット２の部分で自動車３の荷台４に固定される。
【００２３】
硬貨計数機ユニット１は、硬貨投入部に投入された硬貨を硬貨処理部で計数処理して一時保留箱９２（一時保留部）に一時保留し、硬貨放出部１１４の内部に開口形成される硬貨放出口１１４ａから放出するよう構成されている。
【００２４】
金庫ユニット２は、強固な金庫用枠体部２０１を有し、該金庫用枠体部２０１の内部に収納空間２０２が形成されている。そして、その収納空間２０２には、左右に紙幣収納箱２０３（紙幣収納体）および硬貨収納箱２０４（硬貨収納体）が配置されている。金庫用枠体部２０１の前面には、紙幣収納箱２０３および硬貨収納箱２０４を出し入れ可能とする開口が左右に並んで設けられ、それらの開口にそれぞれの扉２０５，２０６が取り付けられている。そして、紙幣収納側の扉２０５の上部には紙幣投入口２０７が設けられている。紙幣収納箱２０３および硬貨収納箱２０４は、上記それぞれの開口に向けて金庫用枠体部２０１の底板上に配置された引き出しガイド２０８，２０９の上に載置され、それぞれの扉２０５，２０６を開けた状態で前方へ向け取り出し自在である。
【００２５】
金庫ユニット２の金庫用枠体部２０１の上面には、硬貨計数機ユニット１の下部形状に合わせてくぼみ部２１０が形成されている。硬貨計数機ユニット１は下部が上記くぼみ部２１０に挿嵌状態となるよう取り付けられ、金庫用枠体部２０１の天板内側から固定ねじ２１１（第１取付手段）によって固定される。
【００２６】
また、金庫ユニット２の金庫用枠体部２０１の上面には、硬貨計数機ユニット１の放出口１１４に臨む位置に硬貨を受け入れる硬貨受入口２１２が形成されている。上記硬貨収納箱２０４はこの硬貨受入口２１２の下方に配置されるものである。
【００２７】
金庫ユニット２の金庫用枠体部２０１内には、上記硬貨受入口２１２を開閉するシャッタ２１３が配置され、また、このシャッタ２１３を開放位置および閉じ位置にロックする第１および第２のロック部２１４，２１５が配置されている。これらシャッタ２１３とロック部２１４，２１５は、硬貨計数機ユニット１が金庫ユニット２から取り外されたときに硬貨受入口２１２を閉じて、金庫ユニット２内部の硬貨の取り出しを阻止する硬貨取り出し阻止手段としてのシャッタ機構を構成する。
【００２８】
図６および図７に示すように、シャッタ２１３は略矩形で、ばね掛けピン２１６が下面に立設され、そのばね掛けピン２１６と金庫用枠体部２０１の右側壁（図１において右側の側壁）との間に引っ張りばね２１７が張設されて、該引っ張りばね２１７により硬貨受入口２１２を閉じる方向に付勢されている。また、シャッタ２１３の一側縁にはロック係合溝２１８が形成されている。
【００２９】
シャッタ２１３を開放位置にロックする第１ロック部２１４は、上記シャッタ２１３のロック係合溝２１８に係合することによってシャッタ２１３を図６に示す開放位置にロックするロック係合部を一端に備え固定軸２１９に回動自在に支承されたレバー２２０と、このレバー２２０の他端を金庫用枠体部２０１の頂板に向け付勢する引っ張りばね２２１と、上端が金庫用枠体２０１の頂板に形成された貫通穴を貫通して金庫用枠体２０１上面からくぼみ部２１０に突出自在とされ下端がレバー２２０の上記他端に当接するよう配置されたねじ調節式の連動ピン２２２と、レバー２２０の一端ロック係合部がシャッタ２１３のロック係合溝２１８に係合した図６に示すシャッタ開放状態においてレバー２２０の上記他端に当接し位置規制する第１ストッパピン２２３と、レバー２２０の一端ロック係合部がシャッタ２１３のロック係合溝２１８から外れシャッタ２１３が図７に示す閉じ位置に移動した状態でレバー２２０の一端ロック係合部に当接し位置規制する第２ストッパピン２２４とから構成されている。
【００３０】
また、シャッタ２１３を閉じ位置にロックする第２ロック部２１５は、金庫用枠体部２０１の後壁に設けられた支持用ブラケット２２５と、上端に下降ストッパ用の大径部を有し上記支持用ブラケット２２５の貫通穴に遊嵌支持されて常時は自重で降下してロック位置を保持するロックピン２２６とからなっている。
【００３１】
上記シャッタ機構は、硬貨計数機ユニット１の取り付けの前後において所定のセッティングを行う。
【００３２】
硬貨計数機ユニット１を取り付ける前は、シャッタ２１３はばね２１７の付勢力によって図７（ａ）に示すように硬貨受入口２１２を閉じる位置にあり、ロック位置へ降下した第２ロック部２１５のロックピン２２６により閉じ位置にロックされている。また、このとき、第１ロック部２１４は、図７（ｂ）に示すようにレバー２２０がばね２２１の付勢力により一端ロック係合部において第２ストッパピン２２４に当接し、連動ピン２２２が金庫用枠体部２０１の上面くぼみ部２１０に突出している。そして、金庫ユニット２の上に硬貨計数機ユニット１を載せ、硬貨計数機ユニット１の下部を金庫ユニット２の上面くぼみ部２１０に挿嵌させると、第１ロック部２１４は、硬貨計数機ユニット１の下面に接する連動ピン２２２が押し下げられ、レバー２２０が図７（ｂ）において時計方向に回動し、レバー２２０の一端ロック係合部はシャッタ２１３の開方向への移動を阻止する位置まで持ち上がる。
【００３３】
この状態で、金庫ユニット２の硬貨収納側の扉２０６を開け、連動ピン２２２のねじを締めて、レバー２２０を図６（ｂ）に一点鎖線で示すように一端ロック係合部がシャッタ２１３の開方向への移動を阻止しない位置まで回動させる。そして、第２ロック部２１５のロックピン２２６を指で持ち上げてロックを解除し、ばね掛けピン２１６を持ってシャッタ２１３を図６（ａ）に示す開放位置まで移動させ、その状態で、連動ピン２２２のねじを緩めてレバー２２０を図６（ｂ）に実線で示す位置まで回動させ、レバー２２０の一端ロック係合部をシャッタ２１３のロック係合溝２１８に係合させることによりシャッタ２１３を開放位置にロックする。
【００３４】
金庫ユニット２には、金庫用枠体部２０１の底面に、前後方向に延びる一対のガイド４００（第２取付手段）が設けられている。それに対し、自動車３の荷台４には、所定の位置に、金庫ユニット２側の上記一対のガイド４００のそれぞれを離脱不能に挟持するとともに前後スライド自在にガイドし引き出し可能とする各一対のガイドレール４０１（第３取付手段）が設けられている。荷台４側のこれらガイドレール４０１は、一枚のベース板４０２上に所定間隔で配置されたもので、そのベース板４０２が荷台４の底板上に固定ねじ４０３にて固定される。また、ベース板４０２には、ガイド４００の最大引き出し位置を規制し、また、押し込み時のセット位置を規定するよう、前後にストッパ４０４が立設されている。
【００３５】
図１〜４の例は、金庫付硬貨計数機の硬貨計数機ユニット１の操作を荷台４の背面から操作する場合で、この場合、金庫付硬貨計数機が荷台４の後部において荷台背面に向くようガイドレール４０１が配置される。この状態で、金庫付硬貨計数機は図４に二点鎖線で示すように硬貨計数機ユニット１のカバーを開け、同図の矢印で示す方向から操作する。また、ガイドレール４０１の位置を変えることにより、図５に示すように金庫付硬貨計数機を荷台４の側面から操作する配置とすることもできる。
【００３６】
このように金庫用枠体部２０１にガイド４００を設け、それらガイド４００をガイドして引き出し可能とするガイドレール４０１を自動車３の荷台４に設けたことにより、硬貨計数機ユニット１および金庫ユニット２は金庫付硬貨計数機として図２に一点鎖線で示すように一体で引き出すことができる。そのため、車体後方において、あるいは車体側方において硬貨計数機ユニット１への硬貨の投入および金庫ユニット２からの硬貨収納箱２０４の取り出しを行いやすくなり、また、金庫ユニット２の紙幣投入口２０７への紙幣の投入および金庫ユニット２からの紙幣収納箱２０３の取り出しも行いやすくなり、図２に示すように荷台４の上部に棚板４０５があってスペースに余裕がない場所への金庫付硬貨計数機の設置も可能となる。
【００３７】
金庫ユニット２は、ガイド４００が荷台４側のガイドレール４０１に離脱不能に挟持されているとともに、ストッパ４０４により最大引き出し位置が規制されているため、金庫ユニット２は荷台に強固に固定されたものとなって、取り外すことは容易でなく、また、強固な金庫用枠体部で被われているため打ち破ることも容易でない。
【００３８】
そして、硬貨計数機ユニット１は下部が金庫ユニット２の金庫用枠体部２０１上面のくぼみ部２１０に挿嵌状態で固定されるため、バール等を用いても金庫ユニット２から取り外すことは困難であり、また、硬貨計数機ユニット１が金庫ユニット２から取り外されたときは、第１ロック部２１４の連動ピン２２２にかかる荷重がとれ、レバー２２０がばね２２１の付勢力で回動して、図７（ｂ）に示すようにレバー２２０の一端ロック係合部がシャッタ２１３のロック係合溝２１８から外れ、ロックが解除されて、シャッタ２１３がばね２１７の付勢力によって移動し、硬貨受入口２１２を閉じる。そして、それまではシャッタ２１３の上面にのっていた第２ロック部２１５のロックピン２２６はシャッタ２１３の通過で自重で下降し、シャッタ２１３を閉じ位置にロックする。そのため、シャッタ２１３を手で開放移動できず硬貨受入口２１２に手を入れて金庫ユニット２内から硬貨を取り出すことはできない。
【００３９】
図８は、実施の形態の第２の例を示す金庫付硬貨計数機の要部正面図である。この例は、金庫ユニット２内に、硬貨収納体として、袋掛け金具１１６を装着した収納袋１１７を配置するものである。そのため、金庫ユニット２の金庫用枠体部２０１には扉２０６を開放させた状態で袋掛け金具１１６を挿脱自在に取り付ける袋掛け金具装着部１１５が取り付けられている。また、袋掛け金具１１６の挿入後は扉２０６は閉じられてロックされる。袋掛け金具装着部１１５は、金庫用枠体部２０１の天板に固定されたもので、硬貨受入口２１２の下方に位置してシュート部を構成する。金庫付硬貨係数機のその他の構成および自動車への搭載の態様等は、先の図１〜７の例と同様である。ここでは、共通する部分について図８に同じ符号を付すに留め、詳細な説明は省略する。なお、上記袋掛け金具装着部１１５は、シャッタ２１３の動作を妨げないものであることは勿論である。
【００４０】
図９は、実施の形態の第３の例を示す金庫付硬貨計数機の要部正面図、図１０は同右側面図である。この例は、硬貨取り出し阻止手段を、硬貨受入口の形状により硬貨取り出しを阻止するようにしたものである。すなわち、図９および図１０に示すように、金庫ユニット２の金庫用枠体部２０１における硬貨受入口２１２（硬貨計数機ユニット１の硬貨放出部１１４の硬貨放出口１１４ａに臨んで設けられる）を、下部が狭まったシュート構造で、手を挿入できないものとしている。この場合、硬貨取り出し阻止手段としてのシャッタ機構は設けない。シュート部の形状は図示のものに限るものではなく、例えば中程でくの字に折れ曲がったものでもよい。金庫付硬貨計数機のその他の構成および自動車への搭載の態様等は、先の図１〜７の例と同様である。ここでは、やはり共通する部分について図９及び図１０に同じ符号を付すに留め、詳細な説明は省略する。なお、図には、金庫枠体部２０１を荷台に直接取り付けたものを示しているが、先の第１および第２の例と同様に金庫枠体部２０１にガイドを設け、硬貨計数機ユニット１を金庫ユニット２ごと引き出せるようにしてもよいことは勿論である。
【００４１】
図１１は、実施の形態の第４の例を示す金庫付硬貨計数機の要部正面図、図１２は同右側面図である。この例は、硬貨収納体を、ガイドレール２４０に沿って引き出し可能な引き出し枠体からなる硬貨収納箱２４１としたものである。この硬貨収納箱２４１は、底部に放出口２４２が設けられるとともに、該放出口２４２の下方に袋掛け金具１１６を挿脱自在とする袋掛け金具装着部２４３が設けられている。そして、その硬貨収納箱２４１の放出口２４２を開閉するシャッタ２４４が設けられ、そのシャッタ２４４が常時は図示しないばねで閉じ方向へ付勢されている。また、シャッタ２４４には前端に垂下部２４４ａが設けられ、袋掛け金具装着部２４３に袋掛け金具１１６を装着すると、袋掛け金具１１６の後端部によってこの垂下部２４４ａが押され、シャッタ２４４が移動して放出口２４２が開くように構成されている。図１２において、２４５はシャッタ２４４の開放位置を規制するよう硬貨収納箱２１４の底面に設けられるストッパである。硬貨収納箱２１４の底面には、また、シャッタ２４４の閉じ位置を規制するストッパ（図示せず）が設けられる。なお、この第４の例は、硬貨計数機ユニット１と金庫ユニット２を強固なカバー枠体内に一体形成した金庫付硬貨計数機に適用してもよい。
【００４２】
ガイドレール２４０は、硬貨収納箱２４１の底板部を左右で支持するとともに、左右側板の外面および上面を左右両側でガイドするよう構成されている。そして、硬貨収納箱２４１は図示しない規制手段により引き出し限度位置が規制され、図１２に一点鎖線で示すように後端部を若干残す位置まで引き出し可能とされている。そのとき、硬貨収納箱２１４は後端部がガイドレール２４０に挟まれた状態でその位置に保持される。そして、そのように硬貨収納箱２４１を引き出した状態で、収納袋１１７をつけた袋掛け金具１１６を袋掛け金具装着部２４３に装着すると、シャッタ２４４が開いて放出口２４２から硬貨が放出され、収納袋１１７内に収納される。また、放出口２４２から遠くて自然落下しない硬貨は作業者が手でかき集めて放出口２４２から落とすことにより収納袋１１７内に収納される。その後、袋掛け金具１１６を収納袋１１７ごと引き抜き、硬貨収納箱２４１を押し込んで扉２０６を閉じる。金庫付硬貨係数機のその他の構成および自動車への搭載の態様等は、先の図１〜７の例と同様である。ここでは、共通する部分について図１１および図１２に同じ符号を付すに留め、詳細な説明は省略する。
【００４３】
【実施例】
図１３〜１７は、硬貨計数機ユニット１の一例を示している。
【００４４】
図１３は硬貨計数機ユニット１の斜視図、図１４は同概略構造図、図１５は同平面図、図１６は同背面視断面図、図１７は同側面視断面図である。
【００４５】
この硬貨計数機ユニット１は、機体４１を有し、機体４１の上面には開閉蓋４２によって開閉される硬貨投入口４３が形成され、硬貨投入口４３の下側にはモータ４４によって回転駆動される回転円盤４５が配設されている。そして、硬貨投入口４３の近傍には開閉扉４２の閉塞を検知する蓋検知センサ４６が配設され、また、回転円盤４５上に臨んで回転円盤４５上の硬貨の有無を検知する残留検知センサ４７が配設されている。
【００４６】
回転円盤４５は、上面の中央に椀伏せ状の土手部４５ａが設けられ、周囲には周壁部４５ｂが設けられ、その周壁部４５ｂの一部に開口部４８が形成されている。そして、その開口部４８には、硬貨を１枚ずつ通すために厚み規制部材４９が配設されている。硬貨投入口４３から投入された硬貨は、回転円盤４５上に落ち、回転円盤４５の回転による遠心力によって周壁部４５ｂの内面に沿って移動し、厚み規制部材４９の下を通過して１枚ずつ硬貨通路５１に送り出される。
【００４７】
硬貨通路５１は、回転円盤４５の上面とほぼ同じ高さに配設された底板５２上に、回転円盤４５の接線方向に沿って形成されている。そして、硬貨通路５１の両側に側板５３，５４が配設され、一側の側板５３には、硬貨通路５１内に進入した硬貨を通路中央側に寄せるガイド縁部５３ａが形成され、また、このガイド縁部５３ａに連続して、後述の識別器による硬貨識別やリジェクト機構による硬貨リジェクトのための基準位置を出す基準縁部５３ｂが形成されている。
【００４８】
硬貨通路５１の上方には、硬貨通路５１内に進入した硬貨を底板５２の上面に押し付けながら搬送するよう第１の搬送ベルト５５および第２の搬送ベルト５６が張設されている。これら搬送ベルト５５，５６は、支持部材５７に回転自在に軸支された各一対のプーリ５８ａ，５８ｂ；５９ａ，５９ｂの間に張設されたもので（図１６参照）、第１の搬送ベルト５５の下流側のプーリ５８ｂと第２の搬送ベルト５６の上流側のプーリ５９ａとは同軸に固定され、第１の搬送ベルト５５の上流側のプーリ５８ａの軸がモータ６０の駆動軸に連結されている。モータ６０の駆動により両搬送ベルト５５，５６は回転駆動され、硬貨通路５１内に進入した硬貨が搬送される。
【００４９】
支持部材５７は、回転円盤４５側の一端が回転軸６１に支持され（図１６参照）、該回転軸６１を支点として上方へ回動可能で、通常時は下方へ回動されて各搬送ベルト５５，５６と底板５２との間隔を硬貨の厚みより狭い間隔とするよう保持され、上方への回動時には両搬送ベルト５５，５６を上方へ退避させて硬貨通路５１の上面を開放するよう構成されている。また、支持部材５７は、各搬送ベルト５５，５６が下流側で上記一側の側板５３に近接するよう回転軸６１に斜めに支持されている。支持部材５７がこのように斜めに支持されていることにより、各搬送ベルト５５，５６は硬貨通路５１内の硬貨を上記一側の側板５３に寄せるように作用する。
【００５０】
硬貨通路５１には、上記一側の側板５３の基準縁部５３ｂの上流端近傍の位置に、硬貨通路５１内を搬送される硬貨を識別する識別器６２が配設されている（図１５および図１６参照）。この識別器６２は、硬貨の穴の有無を検知する穴検知センサ６３と、磁気によって硬貨の材質を検知する材質検知センサ６４と、硬貨の外径を検知する外径検知センサ６５とが上流側からこの順に配設されてなるものである。
【００５１】
また、硬貨通路５１の上記識別器６２の下流側には、該識別器６２や後述する片寄せ検知センサによってリジェクト硬貨が識別されたときに、そのリジェクト硬貨の次に搬送されてくる硬貨を停止させるためのストッパ機構６６が配設されている。このストッパ機構６６は、一対のストッパ６７，６７を有し、この一対のストッパ６７，６７が、硬貨通路５１の両側方位置において底板５２および両側板５３，５４を貫通して形成された左右一対の孔部６８，６８に貫挿配置され、底板５２の下方に配置されたソレノイド６９により駆動伝達機構７０を介して通路幅方向に移動可能で（図１５および図１６参照）、通路幅方向の内側に移動することにより硬貨を停止させるよう構成されたものである。
【００５２】
硬貨通路５１のストッパ機構６６の下流側には、リジェクト硬貨を排出するためのリジェクト口７１が上記一側の側板５３の基準縁部５３ｂを基準として形成され、このリジェクト口７１に対し上記一側の側板５３の側にリジェクト機構７２が配設されている（図１５および図１６参照）。このリジェクト機構７２は、上記一側の側板５３の切り欠き部５３ｃに配置されたローラ７３と、このローラ７３を通路幅方向に移動させるソレノイド７４とで構成されたものである（図１４および図１５参照）。リジェクト口７１は、通路幅方向の寸法が最小径硬貨の直径より小さくて半径より大きく、上記一側の側板５３の基準縁部５３ｂから若干通路内側に寄った位置に形成されている。
【００５３】
また、硬貨通路５１のリジェクト機構７２の下流側には、識別器６２で真貨と識別された硬貨が送出される送出口７５が形成されている（図１５および図１６参照）。
【００５４】
硬貨通路５１の識別器６２とストッパ機構６６との間には、硬貨が上記一側の側板５３の基準縁部５３ｂに片寄せされて識別器６２で正しく識別されたことを検知するための片寄せ検知センサ７６が配設されている。また、ストッパ機構６６とリジェクト機構７２との間には、リジェクト硬貨の通過を検知するリジェクト硬貨通知検知センサ７７が配設され、さらに、リジェクト機構７２と送出口７５との間には、送出口７５に放出される硬貨を検知するカウントセンサ７８が配設されている（図１４参照）。
【００５５】
以上、回転円盤４５から送出口７５までの機構が、硬貨を所定の順序で処理する貨幣処理部７９（図１３参照）を構成している。
【００５６】
硬貨通路５１の下流側は底板５２上を前方（図１５下側）に向け延設されている。そして、機体４１には、硬貨通路５１の下流側の延設方向に対して一側（図１５右側）において前方へ突出する突出部４１ａが形成され、この突出部４１ａの底板５２の下側に箱収納空間８１が形成されている。そして、突出部４１ａには、上記一側とは反対側（図１５左側）に上記箱収納空間８１の開口部８２が形成されるとともに、この開口部８２を開閉する開閉扉８３が配設されている。開閉扉８３は、前端側の回動軸８４を支点として開閉可能に支持され、後端側には開閉扉８３を開閉操作するための把手を兼ねたリジェクト用の切欠窓８５が設けられている。
【００５７】
箱収納空間８１には、リジェックト口７１から落下する硬貨をシュート８６を介して受け入れるリジェクト箱８７が配設されている。このリジェクト箱８７は、箱収納空間８１の上記開口部８２に臨む側面に把手８８を有し、開口部８２を通じて着脱可能に配設されるものである。リジェクト箱８７の配設位置には、リジェクト箱８７がセットされたことを検知するリジェクト箱検知センサ８９と、リジェクト箱８７内にリジェクト硬貨が満杯になったことを検知するフル検知センサ９０がそれぞれ配設されている（図１４参照）。
【００５８】
箱収納空間８１には、一時保留部として、放出口７５から落下する硬貨をシュート９１を通じて受け入れる一時保留箱９２が上記開口部８２を通じて着脱可能に配設されている。この一時保留箱９２は、一対の円板状の側板９３，９４およびこの一対の側板９３，９４間に設けられる円筒状の底板９５を有し、底板９５の一部には硬貨出入口９６が形成されている。そして、一対の側板９３，９４の中心を貫通して円筒状の挿入筒９７が固定され、挿入筒９７の箱収納空間８１への挿入側の一端には、図１７に示すように、軸方向に沿って長溝状の係合溝９８が形成されている。また、開口部８２に臨む側板９３には把手９９が設けられている。
【００５９】
箱収納空間８１には、上記一時保留箱９２を支持する支持駆動機構１００が配設されている（図１７参照）。この支持駆動機構１００は、箱収納空間８１の奥側（開口部８２と反対側）の仕切壁１０１に回転自在に軸支されるとともに一端が開口部８２に向けて突出する回転軸１０２を有するもので、その回転軸１０２の一端に一時保留箱９２の挿入筒９７が嵌合挿入されることにより一時保留箱９２を支持する。また、回転軸１０２には、挿入筒９７の係止溝９８と係合して回り止めするピン１０３が突設されている。そして、仕切壁１０１の内側に位置する上記回転軸１０２の他端には、プーリ１０４が固定され、このプーリ１０４とモータ１０５（図１４参照）の図示しない駆動プーリとの間にベルト１０６が張設されている。モータ１０５の駆動により一時保留箱９２は回転軸１０２を中心として回転する。
【００６０】
仕切壁１０１の内側には、支持駆動機構１００の回転軸１０２の回転位置を検知する回転位置検知機構１０７が配設されている。この回転位置検知機構１０７は、周縁部にスリットを有する遮光板１０８を有し、この遮光板１０８が回転軸１０２に固定されるとともに、この遮光板１０８の周縁に臨ませてフォトインタラプタ１０９が配設されたものであって、遮光板１０８が回転軸１０２と一緒に回転し、その回転する遮光板１０８のスリットをフォトインタラプタ１０９が検知することにより、回転軸１０２の回転位置および定位置を検知する。
【００６１】
また、箱収納空間８１には一時保留箱９２の配設位置に、一時保留箱８１がセットされたことを検知する一時保留検知センサ１１０と、一時保留箱９２内に硬貨が満杯になったことを検知するフル検知センサ１１１がそれぞれ配設されている（図１４参照）。
【００６２】
また、図１６に示すように、箱収納空間８１の一時保留箱９２の配設位置の周囲を囲むようにしてシュート１１２が配設され、このシュート１１２の下端開口１１３の下方で、機体４１の突出部４１ａの下面には、内部に硬貨放出口１１４ａが開口された硬貨放出部１１４が形成されている。
【００６３】
また、硬貨計数機ユニット１の機体４１左側面には、電源ケーブル１２１の一端のコネクタ１２２を接続するコネクタ受１２３が配設されている（図１５参照）。硬貨計数機ユニット１には、このコネクタ受１２３に接続される電源ケーブル１２１を介し車両のバッテリ電源が供給される。
【００６４】
また、硬貨計数機ユニット１の機体４１の背面側には、有線通信の際にハンディ端末のコネクタ受に一端が接続される通信ケーブル１３の他端のコネクタ１２４を接続するコネクタ受１２５が配設されている（図１５参照）。
【００６５】
また、硬貨計数機ユニット１の上面には、開閉扉４２（硬貨投入口４３）の他に、入力部として入力や表示を行う操作部１２６が配設されている（図１３参照）。この操作部１２６は、機体４１の前面側の上部斜面にあって、表示部１２７，計数処理のスタートとストップを指示するスタート／ストップボタン１２８，データクリアを指示するクリアボタン１２９，表示部に表示される金額と枚数の切り換えを指示する円／枚切換ボタン１３０，計数値が表示器に表示される金種の切り換えを指示する表示切換ボタン１３１，一時保留箱９２内の硬貨の収納を指示する収納ボタン１３２等を備えている。
【００６６】
表示部１２７は、金額または枚数の計数値を表示する計数値表示の他、リジェクト硬貨を識別した時のリジェクト表示と、貨幣処理機１の入力部で入力操作を行うローカルモードに切り替わった時のローカルモード表示と、ハンディ端末８との通信によってリモートコントロールされるリモートモードに切り替わった時のリモートモード表示を行い、また、表示した計数値の金種（５００円から１０円まで）を表示する金種表示を行うものである。ローカルモードとリモートモードの切り替えは、機体４１の裏面に設けられた図示しないモードスイッチによって行われる。ローカルモード時には、硬貨計数機ユニット１はハンディ端末８とは一切無縁で、硬貨計数機ユニット１の操作部１２６のみで操作するものとなる。一方、リモートモード時は、スタート／ストップボタン１２８のみ操作可能で、他のクリアボタン１２９，円／枚切換ボタン１３０，表示切換ボタン１３１および収納ボタン１３２は操作不能となり、これらのボタン１２９〜１３２の機能をハンディ端末８による操作で行うことになる。
【００６７】
また、図１３に示す硬貨計数機ユニット１の機体４１の前面壁には、表示部の下側に、光通信用交信部の光通信媒体（赤外線）を送受信する光通信窓部１３３が形成されている。
【００６８】
硬貨計数機ユニット１は、制御部を備え、また、各種データの記憶読出が可能な記憶部と、ハンディ端末との間で通信ケーブル１３を介して相互に通信を行うための有線通信用交信部（インターフェース）と、ハンディ端末との間で相互に光通信を行うために光通信用交信部（インターフェース）と、各種表示を行なう表示部と、入力操作を行なう入力部と、機構中の複数のモータやソレノイドなどを駆動させる駆動部と、機構中の複数のセンサの出力を入力するセンサ入力部を備えている。そして、記憶部，有線通信用交信部，光通信用交信部，表示部，入力部，駆動部およびセンサ入力部がそれぞれ制御部に接続されている。
【００６９】
図１８は、ハンディ端末の一例を示している。
【００７０】
ハンディ端末８は縦長の端末ケース１９からなるもので、正面視にて、この端末ケース１９の中央に表示部の液晶ディスプレイ２０が配置され、液晶ディスプレイ２０の下側に入力部のテンキーや各種設定キーを有するキー入力部２１が配設され、上側に印字部１７が配設されている。そして、液晶ディスプレイ２０の表面にはタッチスクリーン入力部を構成するタッチスクリーンが形成されている。また、液晶ディスプレイ２０の上側には印字部１７との間に、印字部１７を操作する印字用入力部２２が配設されている。上記入力部は、キー入力部２１の他、これら液晶ディスプレイ２０上のタッチスクリーン入力部と印字用入力部２２とで構成されたものである。
【００７１】
印字部１７は、サーマルプリンタにより構成されたもので、ロール状に巻回された感熱紙が内蔵され、その感熱紙に熱転写印字して外部に送出する。
【００７２】
また、端末ケース１９の上端部には、光通信用交信部１２の光通信媒体（赤外線）を送受信する光通信窓部２３が形成されている。さらに、端末ケース１９の側部には、通信ケーブル１３のコネクタ２４を接続するコネクタ受２５が設けられている。
【００７３】
ハンディ端末８は、制御部を備え、また、各種データの記憶読出が可能な記憶部と、自動販売機との間で相互に光通信を行なうとともに硬貨計数機ユニット１との間でも相互に光通信を行うための光通信用交信部（インターフェース）１２と、硬貨計数機ユニット１との間で通信ケーブル１３を介して相互に通信を行なう有線通信用交信部（インターフェース）と、各種表示を行う表示部（液晶ディスプレイ２０）と、入力操作を行う入力部（キー入力部２１，液晶ディスプレイ２０上のタッチスクリーン入力部および印字用入力部２２）と、各種データを印字出力する印字部１７を備え、また、このハンディ端末８に電源を供給する充電式のバッテリを備えている。そして、記憶部，光通信用交信部１２，有線通信用交信部，表示部，入力部および印字部１７はそれぞれ制御部に接続されている。また、バッテリは、通常はＡＣ１００Ｖの電源によって充電するが、通信ケーブル１３で貨幣処理機１と接続された状態で、硬貨計数機ユニット１を介して供給される車両のバッテリ電源により充電することも可能である。
【００７４】
ハンディ端末８の制御部は、収集した売上金額データと貨幣処理機１で処理した貨幣処理データとを比較照合する機能を有している。また、記憶部は、自動販売機から収集した売上金額データを記憶する機能と、硬貨計数機ユニット１で処理した硬貨処理データを記憶する機能と、それらデータの照合結果を記憶する照合機能を有している。
【００７５】
上記硬貨計数機ユニット１およびハンディ端末８を用いた硬貨計数処理は次のとおりである。なお、便宜上、ローカルモード，リモートモードの両方をあわせて説明し、相異する場合のみその都度補足説明する。
【００７６】
硬貨は機体４１の上面の硬貨投入口４３を通じて回転円盤４５上に投入する（図１３，図１４を参照）。そして、ローカルモード，リモートモードのいずれの場合も、操作部１２６のスタート／ストップボタン１２８を操作することにより、搬送ベルト５５，５６用のモータ６０と回転円盤４５用のモータ４４が順に駆動されて計数動作が開始される。ただし、この計数動作は、リジェックト箱８７および一時保留箱９２が機体４１の箱収納空間８１に収納されるとともに箱収納空間８１の開閉扉８３が閉塞されていること等を条件に開始される。
【００７７】
図１５において、回転円盤４５が回転すると、硬貨は遠心力によって回転円盤４５上の周壁部４５ｂに沿って移動するとともに厚み規制部材４９の下を通過して１枚ずつ硬貨通路５１に送り出される。そして、このようにして回転円盤４５から硬貨通路５１に１枚ずつ送り出された硬貨は、第１の搬送ベルト５５および第２の搬送ベルト５６の順にそれら搬送ベルト５５，５６の下側にくわえ込まれて底板５２の上面に押し付けられながら通路下流へ搬送される。その際、硬貨は、第２の搬送ベルト５６の下側にくわえ込まれるまでに、一側の側板５３の通路中央に向けてせり出すガイド縁部５３ａを経て基準縁部５３ｂに沿わされる。
【００７８】
そして、硬貨はさらに第２の搬送ベルト５６によって基準縁部５３ｂに沿わされつつ送られ、識別器６２を通過して、識別器６２により真偽および金種が識別される。
【００７９】
識別器６２で真貨と識別された硬貨は、ストッパ機構６６およびリジェックト機構７２の位置をそのまま通過し、硬貨通路５１の終端部の放出口７５から放出され、一時保留箱９２に一括して一時保留される。
【００８０】
一方、識別器６２で偽貨と識別された場合、リジェクト処理有のモード選定がなされているときは、偽貨と識別された硬貨（リジェクト硬貨）がストッパ機構６６の位置を通過したことが検知されると、ストッパ機構６６のソレノイド６９が作動して一対のストッパ６７，６７が硬貨通路５１内に進入し、リジェックト硬貨の次に送られてきた硬貨が停止される。そして、リジェクト機構７２のソレノイド７４が作動してローラ７３が硬貨通路５１内に進入し、リジェクト硬貨が移動されて、基準縁部５３ｂ側の縁がジェックト口７１の縁から外され、リジェックト硬貨はリジェックト口７１から落下し、リジェックト箱８７に排除される。この場合、リジェクト箱８７は開閉扉８３のリジェクト回収窓８５から自由に引き出すことができるので、リジェクト箱８７を引き出してリジェクト硬貨を回収し排除する。
【００８１】
リジェクト処理有かリジェクト処理無かは選択により設定されるもので、リジェクト処理無のモード選定がなされているときは、ストッパ機構６６は作動するがリジェクト機構７２は作動せず、リジェクト硬貨も硬貨通路５１を終端部まで送られて放出口７５から放出され、一時保留箱９２に入る。そして、次の硬貨はストッパ６７，６７によって停止される。また、回転円盤４５および搬送ベルトが停止する。なお、ストッパ６７，６７は一切作動させず、回転円盤４５および搬送ベルト５５，５６のみ停止させるだけでもよい。その場合はリジェクト硬貨の後続の数枚も一緒に一時保留箱９２に入ることになる。その際、開閉扉８３はいつでも開くことができ、一時保留箱９２を随時引き出せる状態であって、一時保留箱９２を引き出して、リジェクト硬貨を排除し、その他の一時保留硬貨を、再度、硬貨投入口４３から回転円盤４５上に投入し、計数をやり直す。計数データは一時保留箱９２を再度セットした時にクリアされる。そして、スタート／ストップボタン１２８を押すことによって計数が最初からやり直される。なお、その際、リジェクト硬貨の交じった一時保留硬貨は、そのまま別の収納袋に入れて分けて持ち帰るようにすることもできる。
【００８２】
一時保留箱９２を箱収納空間８１に戻す際には、一時保留箱９２の挿入筒９７内に回転軸１０２が嵌合挿入されるようにして一時保留箱９２を箱収納空間８１に挿入するとともに、挿入筒９７の係合溝９８を回転軸１０２のピン１０３に係合させて回り止めする。
【００８３】
計数動作は一時保留箱９２が満杯になると自動停止する。一時保留箱９２が満杯になったかどうかは、フル検知センサ１１１によって検知される。なお、フル検知センサ１１１の代わりに、一時保留箱９２への送り込み枚数が所定枚数（例えば２００枚）になったことを識別器６２を通過した枚数によって検知することも可能である。そして、スタート／ストップボタン１２８を押すと、モータ１０５が回転して一時保留箱９２の硬貨出入口９６が下向きとなり、一時保留硬貨が排出され、硬貨放出口１１４ａから放出される。そして、継続して計数処理可能な状態となる。この場合、一時保留硬貨の計数データは、ローカルモードでは収納ボタン１３２を押さない限り、また、リモートモードでは収納ボタン１３２に相当する操作をハンディ端末８で行わない限りは加算され続ける。そして、全ての硬貨の貨幣データが加算された段階で、ローカルモードでは硬貨計数機ユニット１の表示部１２７により金額，金種別枚数等を読み取ってハンディ端末８にその貨幣データを入力し、収納ボタン１３２を押す。これにより、硬貨計数機ユニット１内の貨幣データはクリアされる。また、リモートモード時は収納ボタン１３２の操作に対応するハンディ端末８側の操作によりその貨幣データがハンディ端末８へ送信されるとともに、硬貨計数機ユニット１内の後続データはクリアされる。
【００８４】
また、識別器６２で所定時間以上硬貨を検知しないと、投入された全ての硬貨の計数処理が終了したものとして、計数動作が停止される。そして、一時保留箱９２が満杯にならない状態で計数処理（金種別計数と金額演算）が終了した場合は、ローカルモード時は硬貨計数機ユニット１の表示部１２７に表示される一時保留硬貨の金額および金種別枚数をハンディ端末８へ入力した後、収納ボタン１３２を押すことにより、また、リモートモードでは収納ボタン１３２に相当する操作をハンディ端末で行うことにより、一時保留硬貨が放出され、同時に、リモートモードでは一時保留硬貨の計数データは自動販売機毎の収納データとしてハンディ端末８へ送信される。
【００８５】
なお、リモートモード時には自動照合処理を選択することができる。自動照合モードでは、ハンディ端末８に自動販売機９の売上金額データを収集するとともに、硬貨計数機ユニット１の計数金額データ（収納された貨幣データ）を収集し、手入力による紙幣計数金額データを入力して、計数金額データの合計金額を売上金額データと照合する。そして、一致しているか、一致していなくても誤差が所定範囲内（例えば２％以内）であれば、照合結果良とし、ハンディ端末８の操作によって収納指令を出し、一時保留硬貨を収納させる。また、照合結果良でない（照合結果否）ときは、収納指令の操作は不能で、このときは、自由に開放できる開閉扉８３を開き、自由に引き出せる一時保留箱９２を引き出し、一時保留硬貨を別途用意した収納袋にいれて分けて持ち帰るか、貨幣計数機１にもう一度投入して計数をやり直す。この場合、一時保留データは一時保留箱９２の引き抜き再セットによりクリアされ、その自動販売機に貨幣について最初からの計数処理となる。なお、開閉扉８３に電磁ロック等の開閉ロック機構を設けて、照合結果良の時には収納指令操作のみ可能で、一時保留箱９２の引き出しができないようにし、照合結果否の時には収納指令操作を不能とし、開閉扉８３のロックを解除して一時保留箱９２を引き抜せるようにすることもできる。
【００８６】
また、リモートモードでも、自動照合解除（非照合モード）が選択されているときは、ハンディ端末８の表示部の液晶ディスプレイ２０に表示されたデータを見て、あるいは印字部１７のプリントアウト出力を見て、営業担当者が比較照合する。
【００８７】
次に、売上精算の全体の処理動作の一例を説明する。
【００８８】
自動販売機を管理している営業担当者（ルートセールスマン）が、金庫付硬貨計数機を搭載した車両に自動販売機に補充する商品を載せ、ハンディ端末８を携帯して、異なる場所に点在する各自動販売機の設置場所を巡回し、各自動販売機の設置場所で商品の補充と売上金としての貨幣（硬貨及び紙幣を含む）の回収を行う。自動販売機には予め一定額の釣銭準備金が装填されている。
【００８９】
ハンディ端末８は、電源スイッチを入れると、液晶ディスプレイ２０にメニュー画面が表示される。営業担当者は、このメニュー画面の「初期設定」をキー入力部２１またはタッチスクリーン入力部で選ぶことにより、予めハンディ端末８の初期設定を行う。この初期設定は、例えば営業担当者のＩＤ番号や氏名、車両のＩＤ番号を設定するものである。
【００９０】
そして、営業担当者は自動販売機の設置場所に行って、自動販売機の扉を開き、ハンディ端末８の光通信窓部２３を自動販売機の制御ユニットの光通信部に向け、ハンディ端末８の液晶ディスプレイ２０に表示されたメニュー画面の「通信（自販機）」をキー入力部２１またはタッチスクリーン入力部で選ぶことにより、自動販売機との通信モードを設定する。こうして自販機通信モードに入ると、ハンディ端末８の液晶ディスプレイ２０に自販機メニューが表示される。
【００９１】
そして、自販機通信メニュー画面の「売上金額データ収集」をキー入力部２１またはタッチスクリーン入力部で選ぶことにより、ハンディ端末８から自動販売機に売上金額データの送信要求コマンドが送信され、自動販売機の制御部内に記憶されている売上金額データがハンディ端末８に送信される。そして、ハンディ端末８は、自動販売機から送信される売上金額データを受信して記憶部の第１記憶部に記憶する。そして、売上金額データの収集が完了すると、ハンディ端末８の液晶ディスプレイ２０に売上金額データ収集結果が表示される。この表示された売上金額データ収集結果からは、自動販売機の号機（ＩＤ番号），紙幣の金額，硬貨の金種毎の枚数，硬貨合計金額，合計金額などが判別できる。表示される金額には、予め装填されていた釣銭準備金の枚数は含まれず、純粋な売上金額のみである。
【００９２】
ここで、売上金額データ収集結果を表示した画面において「印字」を選ぶと、印字部１７により売上金額データのジャーナルが印字出力される。また、「完了」を選ぶと、ハンディ端末８から自動販売機に売上金額クリアコマンドが送信され、自動販売機の制御部内の売上金額の記憶エリアがクリアされ、ハンディ端末８の液晶ディスプレイ２０の表示が自販機通信メニュー画面に戻る。
【００９３】
また、自販機メニュー画面の「販売商品データ収集」をキー入力部２１またはタッチスクリーン入力部で選ぶことにより、ハンディ端末８から自動販売機に販売商品データの送信要求コマンドが送信され、自動販売機の制御部内に記憶されている販売商品データがハンディ端末８に送信される。そして、ハンディ端末８は、自動販売機から送信される販売商品データを受信して記憶部に記憶する。そして、販売商品データの収集が完了すると、ハンディ端末８の液晶ディスプレイ２０に販売商品データ収集結果が表示される。この表示された販売商品データ収集結果からは、自動販売機の号機（ＩＤ番号）、商品が収納されるコラム番号毎の商品名と販売数および販売総数が判別できる。
【００９４】
ここで、販売商品データ収集結果画面の「印字」を選ぶと、印字部１７により販売商品データのジャーナルが印字出力される。また、「中止」を選ぶと、ハンディ端末８の液晶ディスプレイ２０の表示が自販機通信メニュー画面に戻る。
【００９５】
また、自販機通信メニュー画面の「在庫商品データ収集」を選ぶと、ハンディ端末８から自動販売機に在庫商品データの送信要求コマンドが送信され、自動販売機に記憶されている在庫商品データがハンディ端末８に送信され、ハンディ端末８の液晶ディスプレイ２０に在庫商品データ収集結果が表示され、これにより、自動販売機８に現在設定されている商品毎の数量を確認できる。
【００９６】
ここで、販売商品データ収集結果画面の「印字」を選ぶと、印字部１７により在庫商品データのジャーナルが印字出力される。また、「中止」を選ぶと、ハンディ端末８の液晶ディスプレイ２０の表示が自販機通信メニュー画面に戻る。
【００９７】
続いて、営業担当者は、ハンディ端末８の液晶ディスプレイ２０に表示される販売商品データ収集結果画面または印字出力された販売商品データのジャーナルから商品の販売個数を確認して、販売された分の商品を自動販売機に補充し、所定の在庫量に戻す。
【００９８】
続いて、営業担当者は、自動販売機の貨幣処理ユニット内の貨幣、すなわち硬貨および紙幣を全て回収し、回収した硬貨の中から一定額の釣銭準備金を自動販売機の貨幣処理ユニット内にセットする。
【００９９】
なお、商品の補充と、貨幣の回収の順序は逆でもよい。
【０１００】
また、商品の補充後に、自販機通信メニュー画面の「標準セット」を選ぶと、ハンディ端末８に予め設定されている標準の在庫商品データが表示される。そして、画面中の「完了」を選ぶと、ハンディ端末８から自動販売機に標準の在庫商品データが送信され、これを受信した自動販売機では現在記憶されている販売商品データがクリアされ、商品毎の在庫商品データがセットし直される。これは、標準の在庫商品データ分の商品を自動販売機内に収納する場合の例である。
【０１０１】
なお、在庫商品データを変更する場合は、自動販売機メニュー画面の「個別セット」を選ぶことにより、商品毎の数量を個別に設定できる。また、自動販売機メニュー画面の「個別商品追加セット」を選ぶと、商品毎の追加数量を個別に設定することにより自動的に在庫商品データを更新することができる。そして、いずれの場合にも、画面中の「完了」を選ぶと、ハンディ端末８から自動販売機に新たな商品在庫商品データが送信され、これを受信した自動販売機では現在記憶されている在庫商品データがクリアされ、商品毎の新たな在庫商品データがセットし直される。
【０１０２】
こうして自動販売機での作業が終了すれば、自動販売機の扉体を閉じる。
【０１０３】
続いて、営業担当者は、回収された貨幣およびハンディ端末８を持って車両に戻り、回収した硬貨を硬貨計数機ユニット１の硬貨投入口４３に投入するとともに、硬貨計数機ユニット１のスタート／スットプボタン１２８を入力操作する。なお、硬貨計数機ユニット１でリモートモードが選択されていることを前提に以下説明する。
【０１０４】
これにより、硬貨処理機１による硬貨の計数が開始され、硬貨通路５１を搬送される硬貨が識別され、真貨と識別されれば、記憶部にカウントされて、硬貨通路５１の放出口７５から放出され、一時保留箱９２内に一時保留される。また、識別計数途中でリジェクト硬貨が識別された場合には、そのリジェクト硬貨がリジェクト口７１から排除されてリジェクト箱８７に収納されるとともに、表示部１２７にリジェクト表示がなされる。
【０１０５】
リジェクト硬貨は、投入された硬貨の計数終了後に、開閉扉８３の切欠窓８５からリジェクト箱８７を引き抜くことにより取り出すことができる。
【０１０６】
また、ハンディ端末８の光通信窓部２３を硬貨計数機ユニット１の光通信窓部１３３に向けた状態で、ハンディ端末８の液晶ディスプレイ２０に表示されたメニュー画面の「通信（貨幣処理機）」をキー入力部２１または液晶ディスプレイ２０のタッチスクリーン入力部で選ぶと、硬貨計数機ユニット１との通信モードに入る。
【０１０７】
貨幣処理機通信モードに入ると、ハンディ端末８の液晶ディスプレイ２０に所定の貨幣処理機通信メニューが表示される。そして、貨幣処理機通信メニュー画面の「売上データ登録」をキー入力部２１またはタッチスクリーン入力部で選ぶと、ハンディ端末８の液晶ディスプレイ２０に売上データ登録画面が表示される。そこで、営業担当者は、画面に表示された番号の自動販売機から回収した１０００円紙幣を手で数え、その枚数をキー入力部２１で入力する。そして、入力後に画面中の「完了」を選ぶと、入力されたデータが記憶部に記憶されるとともに、ハンディ端末８の液晶ディスプレイ２０の表示が貨幣処理機通信メニュー画面に戻る。数え終えた紙幣は所定の場所に収納する。
【０１０８】
また、貨幣処理機通信メニュー画面の「売上データ読出」をキー入力部２１ またはタッチスクリーン入力部で選ぶと、ハンディ端末８から硬貨計数機ユニット１に計数金額データの送信要求コマンドが送信され、硬貨計数機ユニット１で計数された硬貨の計数金額データ（貨幣処理データ）がハンディ端末８に送信される。ハンディ端末８は、この硬貨計数機ユニット１から送信される計数金額データを受信して、記憶部に記憶する。なお、ハンディ端末８から硬貨計数機ユニット１に計数金額データの送信要求コマンドが送信されたとき、硬貨計数機ユニット１が計数中の場合には計数終了を待って、計数金額データが送信される。そして、計数金額データの収集が完了すると、ハンディ端末８の液晶ディスプレイ２０に計数金額データ収集結果が表示される。この表示された計数金額データ収集結果からは、自動販売機の号機（ＩＤ番号）および硬貨の金種毎の枚数が判別できる。
【０１０９】
ここで、計数金額データ収集結果画面の「印字」を選ぶと、印字部１７により計数金額データのジャーナルが印字出力される。また、「完了」を選ぶと、ハンディ端末２から硬貨計数機ユニット１に計数金額クリアコマンドが送信され、硬貨計数機ユニット１の記憶部の計数金額の記憶エリアがクリアされ、ハンディ端末８の液晶ディスプレイ２０の表示が貨幣処理機通信メニュー画面に戻る。
【０１１０】
紙幣の枚数の入力と、硬貨計数機ユニット１からの計数金額データの収集との順序は逆でもよい。
【０１１１】
続いて、営業担当者は貨幣処理通信メニュー画面の「メニューに戻る」をキー入力部２１またはタッチスクリーン入力部で選ぶ。そして、自動照合モードを選択するときは、メニュー画面の「照合」をキー入力部２１またはタッチスクリーン入力部で選ぶ。この「照合」の入力により、ハンディ端末８は、自動販売機から収集した売上金額データと、営業管理者によって入力された紙幣計数金額データおよび硬貨計数機ユニット１で計数された硬貨計数金額データを含む計数金額データとを照合する。
【０１１２】
自動照合モードで、照合結果が良（一致あるいは許容誤差の範囲）の場合には、ハンディ端末８の液晶ディスプレイ２０に計数金額データ読出し結果が表示される。この計数データ読出結果画面からは、自動販売機の号機（ＩＤ番号），照合結果良を示す「ＯＫ」，金種毎の枚数および合計金額を判別できる。なお、照合は主に合計金額が許容範囲内にあればよいので、枚数の表示は参考程度に見ることが一般的である。ここで、計数金額データ読出結果画面の「印字」を選ぶと、印字部１７により計数金額データ読出結果のジャーナルが印字出力される。また、「完了」を選ぶことにより、ハンディ端末８の液晶ディスプレイ２０の表示が貨幣処理機通信メニュー画面に戻る。
【０１１３】
そして、照合結果良であれば、貨幣処理機通信メニュー画面の「収納」を選ぶことにより、ハンディ端末８から硬貨計数機ユニット１にコマンドが送信され、これを受信した硬貨計数機ユニット１では硬貨を一括して一時保留している一時保留箱９２を回転させて、一時保留箱９２内の硬貨を投出し、金庫ユニット２内に収納させる。
【０１１４】
一方、照合結果否であれば、ハンディ端末８の液晶ディスプレイ２０に計数金額データ読出結果が表示される。この計数データ読出結果画面からは、自動販売機の号機（ＩＤ番号），照合結果否を示す「ＮＧ」，金種ごとの相違数および合計相違金額を判別できる。ここで、計数金額データ読出結果画面の「印字」を選ぶと、印字部１７により計数金額データ読出結果のジャーナルが印字出力される。また、「完了」を選ぶと、ハンディ端末８の液晶ディスプレイ２０の表示が貨幣処理機通信メニュー画面に戻る。
【０１１５】
なお、印字出力されるジャーナルには、自動販売機の号機（ＩＤ番号），売上高，紙幣金額，硬貨金額，相違額，処理日時，営業担当者のＩＤ番号等が表示される。
【０１１６】
そして、照合結果否のときは、営業担当者は開閉扉８３を開いて一時保留箱９２を引き抜き、一時保留箱９２内の硬貨を硬貨計数機ユニット１の硬貨投入口４３に再投入するとともに、一時保留箱９２を元の位置に戻して開閉扉８３を閉じ、再計数を行う。そして、再計数の結果、照合結果良となったら収納操作を行う。
【０１１７】
また、紙幣の金額が違っていた場合には、紙幣の枚数を再度確認する。
【０１１８】
そして、再度計数を行っても照合結果否の場合には、釣り銭準備金の入れ忘れや入れ違いがないか、自動販売機が故障していないか、偽造貨幣による詐欺行為がないかなど、その場で原因の究明を行う。
【０１１９】
原因が究明されて対処した場合、あるいは原因が判らないまま作業を終了する場合には、ハンディ端末８から硬貨計数機ユニット１に収納を指令し、一時保留箱９２に一時保留されている硬貨を収納する。そして、営業担当者は車両で別の自動販売機の設置場所に移動し、同様の作業を行う。
【０１２０】
なお、ローカルモードの時は硬貨計数機ユニット１はハンディ端末８とは一切無縁となって操作部１２６による操作となり、貨幣処理データは、表示部１２７の金額，金種と枚数を読み取ってハンディ端末８へ手入力することになる。その入力の後、収納ボタン１３２の押圧により貨幣は収納され、硬貨計数機ユニット１の貨幣処理データはクリアされる。
【０１２１】
そして、各自動販売機の設置場所を巡回し終えて営業所に戻ったら、ハンディ端末８から１日分の売上合計金額を印字出力させ、回収された硬貨を車両の硬貨計数機ユニット１あるいは営業所に設置されている硬貨計数機ユニットで計数するとともに、回収された全ての紙幣を数え、印字出力して１日分の売上合計金額と計数結果との比較結果を確認する。また、ハンディ端末８を営業所のホストコンピュータに接続し、メニュー画面で「通信（ホスト）」を選んで、ハンディ端末８に記憶された売上金額データをホストコンピュータに登録する。
【０１２２】
図１９および図２０は袋掛け金具１１６の一例を示している。
【０１２３】
図１９は袋掛け金具１１６の上面図、図２０は袋掛け金具１１６の開状態の斜視図である。
【０１２４】
この袋掛け金具１１６は、下カバー１６２（第１枠体）と、これに揺動可能に連結された上カバー１６３（第２枠体）とからなり、収納袋１１７の開口部を外側へ折り返して下カバー１６２に引っ掛け、上カバー１６３を閉じて収納袋１１７の開口部位周縁を挟持した状態で袋掛け金具装着部に装着できるよう構成されたものであって、上カバー１６３を閉じた状態で全体が概略平箱状で、袋掛け金具装着部のガイドに沿って挿脱可能な寸法とされている。
【０１２５】
下カバー１６２は、硬貨収納袋１１７を挿通可能な略矩形の開口部１７１（第１開口部）を備える底面部１７２と、底面部１７２の前端縁に立設された一端面部１７３と、底面部１７２の後端縁に前面部１７３の略半分の高さで立設された他端面部１７４を有している。そして、底面部１７２の開口部１７１の前後両側周縁には収納袋１１７の開口部周縁を掛け止め可能とする掛け止め部１７５，１７６が立設されている。また、底面部１７２の両側端縁には、掛け止め部１７２，１７３と平行にガイドレール１７７，１７８が立設されている。そして、一端面部１７３の上端には底面部１７２に平行に右方へ張り出した受部１７９が形成されている。また、一端面部１７３の中央には把手１８０が設けられている。
【０１２６】
掛け止め部１７５，１７６には、袋取付具１１６が袋掛け金具装着部に装着されたときの袋装着検知センサの位置に切り欠き１７５ａ，１７６ａが形成されている。
【０１２７】
上カバー１６３は、硬貨の通過を可能とする略矩形の開口部１８１（第２開口部）を備える上面部１８２と、上面部１８２の左端縁に垂設された左端面部１８３を有している。そして、上面部１８２の開口部１８１の周縁の前後両側部位には、下カバー１６２の掛け止め部１７５，１７６の内側に位置し、これら掛け止め部１７５，１７６と協動して収納袋１１７の折り返された開口部の内側部分１１７ａを挟持するよう一対の内側挟持部１８４，１８５が設けられ、また、開口部１８１の周縁の左右部位には、収納袋１１７の折り返し部内縁に嵌まり込んで収納袋１１７の折り返された開口部を内側から保持する保持部１８６，１８７が設けられている。そして、上面部１８２の右端には下カバー１６２の受部１７９に重なる重なり部１８８が延設され、その重なり部１８８の下面にはマグネットラバー１８９が貼設されている。また、上面部１８２の前後両端縁には、下カバー１６２の掛け止め部１７５，１７６の外側に位置し、これら掛け止め部１７５，１７６と協動して収納袋１１７の折り返された開口部の外側部分１１７ｂを挟持するよう一対の外側挟持部１９０，１９１が設けられている。
【０１２８】
上カバー１６３と下カバ−１６２は、他端面部１７４，左端面部１８３が蝶番１９２で揺動可能に連結されている。
【０１２９】
収納袋１１７は、例えば麻袋であって、図２０に示すように袋掛け金具１１６の上カバー１６３を開いて、下カバー１６２の開口部１７１に挿入し、収納袋１１７の開口部を下カバー１６２の掛け止め部１７５，１７６に引っ掛けて所定幅だけ折り返す。そして、上カバー１６３を閉じ、マグネットラバー１８９を下カバー１６２の受部１７９に吸着させる。この状態で、上カバー１６３の内側挟持部１８４，１８５と外側挟持部１９０，１９１が下カバー１６２の掛け止め部１７５，１７６と協動し、また、上カバー１６３の上面部１８２が下カバー１６２の掛け止め部１７５，１７６の上面と協動して、収納袋１１７の折り返された開口部を挟持する。また、上カバー１６３の保持部１８６，１８７が収納袋１１７の開口部内面を保持する。
【０１３０】
こうして収納袋１１７が取り付けられた袋掛け金具１１６は、袋１１７ごと袋掛け金具装着部に挿入し、袋掛け金具装着部受具の端面部に設けられたマグネットキャッチにより吸着保持するものである。
【０１３１】
なお、上の例では自動販売機の貨幣回収について説明したが、例えば、コンビニエンスストアや各小売店からの貨幣回収や、路上のパーキングメータや公衆電話機からの貨幣回収や、セールスマンによる集金にもこの金庫付硬貨計数機搭載車両を使用でき、自動販売機に限定されることはない。
【０１３２】
また、コンビニエンスストアや各小売店の貨幣を回収する場合に、レジスタの記憶データはハンディ端末８で自動回収するようにしてもよく、また、ハンディ端末８にデータを手入力するようにしてもよい。手入力の場合にはレジスタは従来のままのものを使用できる。また、セールスマンの集金の場合は、データはハンディ端末８に手入力で入力し、硬貨計数機ユニット１で集金貨幣を計数処理する。
【０１３３】
【発明の効果】
請求項１および３に係る車載用金庫付硬貨計数機および金庫付硬貨計数機搭載車両によれば、金庫ユニットは車体に強固に固定されるとともに強固な金庫用枠体部で被われ、また、硬貨取り出し阻止手段によって受入口からの硬貨の取り出しが阻止されるため、防盗性が確保され、それでいて、作業性および操作性が良好で、保守点検が容易となる。
【０１３４】
また、請求項２および４に係る車載用金庫付硬貨計数機および金庫付硬貨計数機搭載車両によれば、やはり金庫ユニットは車体に強固に固定されるとともに強固な金庫用枠体部で被われ、また、硬貨計数機ユニットの下部は金庫用枠体のくぼみ部に挿嵌状態で固定されていて、硬貨計数機ユニットを取り外して金庫ユニットの硬貨を取り出すことが阻止されるため、やはり防盗性が確保され、また、作業性および操作性が良好で、保守点検が容易となる。
【０１３５】
また、請求項５および６に係る車載用金庫付硬貨計数機および金庫付硬貨計数機搭載車両によれば、硬貨だけでなく紙幣も同じ金庫ユニット内へ収納でき、作業性が向上する。
【０１３６】
また、請求項７および８に係る車載用金庫付硬貨計数機および金庫付硬貨計数機搭載車両によれば、特に、硬貨計数機ユニットが取り外されたときに金庫ユニットの受入口がシャッタ機構によって閉じられ、防盗性が一層高まる。
【０１３７】
また、請求項９および１０に係る車載用金庫付硬貨計数機および金庫付硬貨計数機搭載車両によれば、簡単な構造で防盗性を確保できる。
【０１３８】
また、請求項１１および１２に係る車載用金庫付硬貨計数機および金庫付硬貨計数機搭載車両によれば、硬貨収納体の取り出しが容易で、作業性が一層高まる。
【０１３９】
また、請求項１３および１４に係る車載用金庫付硬貨計数機および金庫付硬貨計数機搭載車両によれば、硬貨収納体を構成する引き出し枠体に袋を装着して容易に袋詰めでき、防盗性および作業性の向上を図れる。
【０１４０】
また、請求項１５に係る金庫付硬貨計数機搭載車両によれば、硬貨計数機ユニットおよび金庫ユニットを両方共引き出すことができて、作業性および操作性が向上し、スペースに制限のある場所でも操作性および作業性を確保できる。
【０１４１】
また、請求項１６および１７に係る車載用金庫付硬貨計数機および金庫付硬貨計数機搭載車両によれば、硬貨計数機ユニットから放出されて硬貨を直接袋へ収納でき、作業性が向上する。
【図面の簡単な説明】
【図１】実施の形態の第１の例の金庫付硬貨計数機の、自動車の荷台に固定した状態の正面図（荷台の背面から操作する場合で、同背面から見た図）である。
【図２】図１に示す金庫付硬貨計数機の右側面図である。
【図３】図１に示す金庫付硬貨計数機を搭載した自動車の荷台を背面を開いた状態で示す背面図である。
【図４】図１に示す金庫付硬貨計数機を搭載した自動車の荷台後部を右側面を開いた状態で示す側面図である。
【図５】図１に示す金庫付硬貨計数機を荷台の側面から操作するよう搭載した自動車を荷台側面を開いた状態で示す側面図である。
【図６】図１に示す金庫付硬貨計数機における硬貨取り出し阻止手段をシャッタ開放状態で示す上面図（ａ）および側面図（ｂ）である。
【図７】図１に示す金庫付硬貨計数機における硬貨取り出し阻止手段をシャッタ閉状態で示す上面図（ａ）および側面図（ｂ）である。
【図８】実施の形態の第２の例の金庫付硬貨計数機の要部を示す正面図である。
【図９】実施の形態の第３の例の金庫付硬貨計数機の要部を示す正面図である。
【図１０】図９に示す金庫付硬貨計数機の要部を示す右側面図である。
【図１１】実施の形態の第４の例の金庫付硬貨計数機の要部を示す正面図である。
【図１２】図１１に示す金庫付硬貨計数機の要部を示す右側面図である。
【図１３】硬貨計数機ユニットの斜視図である。
【図１４】  硬貨計数機ユニットの概略構造図である。
【図１５】硬貨計数機ユニットの平面図である。
【図１６】硬貨計数機ユニットの側面視断面図である。
【図１７】硬貨計数機ユニットの正面視断面図である。
【図１８】ハンディ端末の平面図である。
【図１９】袋掛け金具の下面図である。
【図２０】袋掛け金具の開状態の斜視図である。
【符号の説明】
１  硬貨計数機ユニット
２  金庫ユニット
３  自動車
４  荷台
９２  一時保留箱
１１４  放出口
１１５  袋掛け金具装着部
１１６  袋掛け金具
１１７  収納袋
２０１  金庫用枠体部
２０３  紙幣収納箱
２０４  硬貨収納箱
２０５，２０６  扉
２０７  紙幣投入口
２０８，２０９  引き出しガイド
２１０  くぼみ部
２１２  硬貨受入口
２１３  シャッタ
２１４，２１５  ロック部
２４０  ガイドレール
２４１  硬貨収納箱
２４２  放出口
２４３  袋掛け金具装着部
２４４  シャッタ
２４４ａ  垂下部
４００  ガイド
４０１  ガイドレール
【図１】
0003658498.tif 000002
【図２】
0003658498.tif 000003
【図３】
0003658498.tif 000004
【図４】
0003658498.tif 000005
【図５】
0003658498.tif 000006
【図６】
0003658498.tif 000007
【図７】
0003658498.tif 000008
【図８】
0003658498.tif 000009
【図９】
0003658498.tif 000010
【図１０】
0003658498.tif 000011
【図１１】
0003658498.tif 000012
【図１２】
0003658498.tif 000013
【図１３】
0003658498.tif 000014
【図１４】
0003658498.tif 000015
【図１５】
0003658498.tif 000016
【図１６】
0003658498.tif 000017
【図１７】
0003658498.tif 000018
【図１８】
0003658498.tif 000019
【図１９】
0003658498.tif 000020
【図２０】
0003658498.tif 000021